(57)【要約】【課題】  嵌合状態の雄型コネクタハウジングと雌型コネクタハウジングとの間に生じるコネクタ嵌合方向およびコネクタ嵌合直交方向のガタツキを確実に防止できる構造を備え、これにより雄・雌両端子の電気接触部の摩耗等を確実に防止できるコネクタを提供すること。【解決手段】  嵌合状態の雄型コネクタ２のアウタハウジング６と雌型コネクタハウジング２１に断面コ状の押え付け部材３１を取り付ける。押え付け部材３１の側板部３２には、アウタハウジング６に設けた突起１７に当接する押え付け部３２ｂと、雌型コネクタハウジング２１に設けたガイド突起１９を付勢する傾斜面３２ｃが形成されている。押え付け部材３１により、その弾性力によってガイド突起１９と突起１７との間を相互に引き付ける作用が働き、両ハウジング６，２１の嵌合方向のガタツキが防止される。【選択図】図９
2006031967.tif 000002
【特許請求の範囲】
【請求項１】
一方のコネクタハウジングと、
前記一方のコネクタハウジング内に配置された一方の端子と、
他方のコネクタハウジングと、
前記他方のコネクタハウジング内に配置された他方の端子と、
嵌合状態の前記一方のコネクタハウジングと前記他方のコネクタハウジングとをそれらの嵌合方向に相互に押え付けるためのコネクタ押え付け機構と、
を備えることを特徴とするコネクタ。
【請求項２】
前記コネクタ押え付け機構は、前記一方のコネクタハウジングと前記他方のコネクタハウジングとを嵌合した状態で取り付けられ、前記一方のコネクタハウジングに設けられた第１突起に当接する第１押え付け部と、前記他方のコネクタハウジングに設けられた第２突起に当接する第２押え付け部とを設けた押え付け部材を備え、前記第１突起と前記第１押え付け部との当接位置と前記第２突起と前記第２押え付け部との当接位置との間に作用する弾性力により、前記一方のコネクタハウジングと前記他方のコネクタハウジングとの嵌合方向のガタツキを防止することを特徴とする請求項１に記載したコネクタ。
【請求項３】
前記押え付け部材は、前記嵌合された２つのコネクタハウジングを嵌合方向の両端部から弾性力により押圧する弾性体であることを特徴とする請求項１に記載したコネクタ。
【請求項４】
前記押え付け部材は、前記嵌合された２つのコネクタハウジングを嵌合方向から覆い、且つ両端部を締め付け固定する帯状体により構成したものであることを特徴とする請求項１に記載したコネクタ。
【請求項５】
前記一方のコネクタハウジングの外周面に形成されたガタツキ規制部と、前記他方のコネクタハウジング内に形成され、前記一方のコネクタハウジングと前記他方のコネクタハウジングとの嵌合時に、前記ガタツキ規制部に当接する傾斜面と、を更に備えたことを特徴とする請求項１〜請求項４のいずれか一つに記載したコネクタ。
【発明の詳細な説明】
【技術分野】
【０００１】
本発明は、ガタツキ防止構造を備えたコネクタに関し、より詳細には、嵌合状態の雄型コネクタハウジングと雌型コネクタハウジングとの間のガタツキを防止する構造を備え、それにより両コネクタハウジング内の雌雄端子の電気接触部相互の摩耗の低減が図られたコネクタに関する。
【背景技術】
【０００２】
図２５および図２６にガタツキ防止構造を備えた従来のコネクタが示される（例えば、特許文献１参照）。
【０００３】
このコネクタ６１は、雌端子６２を収容する一方のコネクタ６３と、雄端子６４を収容する他方のコネクタ６５と、を備え、合成樹脂製の一方のコネクタハウジングの外側のフード部６６の内面にガタツキ規制部６７を一体に形成し、他方のコネクタハウジング６８の外壁面をガタツキ規制部６７の表面に隙間なく接触させて、両コネクタ６３，６５の嵌合方向と直交する方向（即ち、コネクタ嵌合直交方向）のガタツキを防止したものである。
【０００４】
一方のコネクタハウジングは雄型のインナハウジング６４とその外側の矩形筒状のフード部６６と、を有し、インナハウジング６４内に雌端子６２が収容されている。雌端子６２は合成樹脂製のフロントホルダ６９で二重係止されている。インナハウジング６４の基部には防水パッキン７１が装着されている。ガタツキ規制部６７は略長方形状を有している。
【０００５】
フード部６６とインナハウジング６４との間に他方のコネクタハウジング６８が挿入される。図２６は完全嵌合直前の状態を示している。両コネクタハウジングの嵌合と同時に雄・雌両端子６２，７０が接続され、他方のコネクタハウジング６８の先端部が防水パッキン７１に密着し、フード部６６のロックアーム７２が他方のコネクタハウジング６８の係合突起に係合して、両コネクタがロックされ、それらと同時に、一方のコネクタハウジングのフード部６６と他方のコネクタハウジング６８とのコネクタ嵌合直交方向のガタツキが規制部６７で防止され、車両走行時等の振動による雄・雌両端子６２，７０の電気接触部の摩耗の低減が図られる。
【特許文献１】特開２００２−１９８１２７号公報（第３−４頁、図４、図６）
【発明の開示】
【発明が解決しようとする課題】
【０００６】
しかしながら、上記従来のコネクタにあっては、コネクタ嵌合直交方向のガタツキは防止されるものの、コネクタ嵌合方向のガタツキが防止されないため、車両走行中の振動や近接の機器やエンジン等の振動による雄・雌両端子６２，７０の摩耗等が完全には解消されないという問題があった。また、一方のコネクタハウジングのフード部６６と他方のコネクタハウジング６８とのガタツキは防止されるものの、一方のコネクタハウジングの肝心の端子収容部であるインナハウジング６４と他方のコネクタハウジング６８とのガタツキが直接的には防止されないため、雄・雌端子６２，７０相互のガタツキが生じやすく、両端子６２，７０の摩耗が完全には解消されないという懸念があった。更に、長期にわたって使用された場合に、ガタツキ規制部６７が車両走行時等の振動によって摩耗や圧縮変形を起こし、コネクタ嵌合直交方向のガタツキを生じかねないという懸念もあった。
【０００７】
また、両コネクタハウジング間にリング状のガタツキ規制部材を介在させて、コネクタ嵌合方向およびコネクタ嵌合直交方向のうち少なくとも一方向のガタツキを規制することも考えられるが、別部品であるガタツキ規制部材を設けると、両コネクタハウジング間のガタツキが直接的には規制されず耐振動性能が不十分となるという問題や、ガタツキ規制部材の寸法精度のばらつきによって耐振動性能が安定しないという問題や、ガタツキ規制部材と両コネクタハウジングの摺動抵抗によってコネクタの嵌合荷重が増加するという問題があった。
【０００８】
本発明は、上述した事情に鑑みてなされたものであり、その目的は、嵌合状態の雄型コネクタハウジングと雌型コネクタハウジングとの間に生じるコネクタ嵌合方向およびコネクタ嵌合直交方向のガタツキを確実に防止できる構造を備え、これにより雄・雌両端子の電気接触部の摩耗等を確実に防止できるコネクタを提供することにある。
【課題を解決するための手段】
【０００９】
前述した目的を達成するため、本発明に係るコネクタは、下記（１）〜（５）を特徴としている。
（１）一方のコネクタハウジングと、
前記一方のコネクタハウジング内に配置された一方の端子と、
他方のコネクタハウジングと、
前記他方のコネクタハウジング内に配置された他方の端子と、
嵌合状態の前記一方のコネクタハウジングと前記他方のコネクタハウジングとをそれらの嵌合方向に相互に押え付けるためのコネクタ押え付け機構と、
を備えること。
（２）上記（１）の構成のコネクタにおいて、前記コネクタ押え付け機構は、前記一方のコネクタハウジングと前記他方のコネクタハウジングとを嵌合した状態で取り付けられ、前記一方のコネクタハウジングに設けられた第１突起に当接する第１押え付け部と、前記他方のコネクタハウジングに設けられた第２突起に当接する第２押え付け部とを設けた押え付け部材を備え、前記第１突起と前記第１押え付け部との当接位置と前記第２突起と前記第２押え付け部との当接位置との間に作用する弾性力により、前記一方のコネクタハウジングと前記他方のコネクタハウジングとの嵌合方向のガタツキを防止すること。
（３）上記（１）の構成のコネクタにおいて、前記押え付け部材は、前記嵌合された２つのコネクタハウジングを嵌合方向の両端部から弾性力により押圧する弾性体であること。
（４）上記（１）の構成のコネクタにおいて、前記押え付け部材は、前記嵌合された２つのコネクタハウジングを嵌合方向から覆い、且つ両端部を締め付け固定する帯状体により構成したものであること。
（５）上記（１）〜（４）いずれかの構成のコネクタが、前記一方のコネクタハウジングの外周面に形成されたガタツキ規制部と、前記他方のコネクタハウジング内に形成され、前記一方のコネクタハウジングと前記他方のコネクタハウジングとの嵌合時に、前記ガタツキ規制部に当接する傾斜面と、を更に備えたこと。
【００１０】
上記（１）の構成のコネクタによれば、両コネクタハウジングの完全嵌合時に、コネクタ押え付け機構の作用により両コネクタハウジングのコネクタ嵌合方向とコネクタ嵌合直交方向のガタツキが防止される。よって、雄・雌両端子の接触部の磨耗等が防止され、コネクタの信頼性が向上する。尚、一方のコネクタハウジングは雄型のコネクタハウジングおよび雌型のコネクタハウジングのいずれか一方であり、そして他方のコネクタハウジングは雄型のコネクタハウジングおよび雌型のコネクタハウジングのいずれか他方である。  従って、例えば、一方のコネクタハウジングを雄型のコネクタハウジングとすれば他方のコネクタハウジングは雌型のコネクタハウジングである。また、一方の端子は雄端子および雌端子のいずれか一方であり、そして他方の端子は雄端子および雌端子のいずれか他方である。従って、例えば、一方の端子を雌端子とすれば他方の端子は雄端子である。
上記（２）の構成のコネクタによれば、嵌合された両コネクタハウジングに押え付け部材を取り付けることにより、押え付け部材の第１押え付け部が一方のコネクタハウジングに設けられた第１突起に当接し、他方のコネクタハウジングに設けられた第２突起に押え付け部材に設けた第２押え付け部が当接する。この結果、嵌合されたコネクタハウジングが嵌合方向に相互に付勢され、嵌合方向のガタツキを防止できる。
上記（３）の構成のコネクタによれば、嵌合された両コネクタハウジングは、押え付け部材によって嵌合方向の両端部から押圧されるので、両コネクタハウジングの嵌合方向へのガタツキが防止される。
上記（４）の構成のコネクタによれば、嵌合された両コネクタハウジングは、嵌合方向から帯状体で構成された押え付け部材により覆われ、締め付けられた状態で押え付け部材の両端部に設けた係止具により係止される。従って、両コネクタハウジングが嵌合方向に緩むことはなく、ガタツキが防止される。
上記（５）の構成のコネクタによれば、両コネクタハウジングの完全嵌合時に、コネクタ押え付け機構の作用によりガタツキ規制部と傾斜面とが強固に面接触し、両コネクタハウジングのコネクタ嵌合方向とコネクタ嵌合直交方向のガタツキが防止される。よって、雄・雌両端子の接触部の磨耗等が確実に防止され、コネクタの信頼性が向上する。
【発明の効果】
【００１１】
本発明によれば、両コネクタハウジングの完全嵌合時に、コネクタ押え付け機構によって、両コネクタハウジングが相互に嵌合方向に付勢されるので、両コネクタハウジングは振動時にあってもコネクタ嵌合方向および嵌合直交方向のガタツキが防止されるから、両コネクタハウジング内の雄・雌端子の接触部の摩耗が確実に防止され、電気的接続の信頼性が向上する。
【００１２】
また、本発明によれば、嵌合された両コネクタハウジングは、弾性を有する押え付け部材の押圧力または帯状の押え付け部材により締め付けられるので、嵌合方向及び嵌合方向と直交する方向のいずれについてもガタツキを防止することができ、両コネクタハウジング内の雄・雌端子の接触部の磨耗が確実に防止され、電気的接続の信頼性が向上する。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。尚、図１はコネクタの構成を示す断面図、図２はコネクタの嵌合状態を示す断面図、そして図３はコネクタの構成を示す分解斜視図である。
【００１５】
コネクタ１は、図１の右方に示した雄型コネクタ２と、左方に示した雌型コネクタ３及び図４以下の各図を参照して説明する押え付け部材等により構成されている。
先ず、雄型コネクタ２の主要な構成について説明すると、アウタハウジング６と、雄型コネクタ２と雌型コネクタ３との嵌合方向に移動自在にアウタハウジング６内に保持された端子収容部である雄型のインナハウジング７と、防水パッキン８と、電線９を接続した雌端子１１等を備えている。このように、雄型コネクタ２は、その雄型コネクタハウジングとしてアウタハウジング６およびインナハウジング７を具備する。
また、インナハウジング７の先端部分（左端）には、先細りの傾斜面１２ａを形成したガタツキ規制部１２が設けられている。
防水パッキン８は、合成ゴムやエラストマ樹脂などを用いて矩形筒状に形成したものである。防水パッキン８は、ハウジング装着部１３の前端面１３ａとガタツキ規制部１２の垂直面１２ｂとの間に挟み込まれるが、この構成によりインナハウジング７が防水パッキン８によって弾性支持される。
【００１６】
次に、雌型コネクタ３の主要な構成について説明すると、雌型コネクタハウジング２１と、雄端子２２等を備えている。雄端子２２は、端子固定部２３を貫通するように一体に固定され、雄タブ２２ａがコネクタ嵌合室２４内に植立状に突出している。
コネクタ嵌合室２４の奥側で周壁２５の内面には、すり鉢状に傾斜面２６が形成されている。傾斜面２６の傾斜角度は、ガタツキ規制部１２の傾斜面１２ａと同一に形成されている。従って、雄型コネクタ２内に雌型コネクタ３を嵌合すると、傾斜面１２ａ、２６が面接触し、コネクタ嵌合方向だけでなく、コネクタ嵌合直交方向のガタツキも防止される。
【００１７】
次に、雌型コネクタ３及び雄型コネクタ２の嵌合方法について説明するが、ここで、説明の都合上、前後、上下、そして左右の定義を次のように定める。前後方向をコネクタ嵌合方向と定め、『前』を雄型コネクタ２、雌型コネクタ３各々（両コネクタハウジング１３、２１）の嵌合先端側とし、そしてその反対側を『後』とする。上下方向を２つの雌端子１１の並び方向やそれらの電気接続対象である２つの雄端子２２の並び方向と定める。左右方向をタブ状に形成された雄端子２２の板厚方向と定める。コネクタ嵌合直交方向とは、コネクタ嵌合方向に直交する全ての方向、即ち３６０°にわたるものとする。
【００１８】
雌型コネクタ３及び雄型コネクタ２を嵌合する場合は、両コネクタハウジング１３、２１の嵌合先端側を対向させ、雌型コネクタハウジング２１の周壁２５をアウタハウジング６とインナハウジング７との間の環状隙間に嵌入させる。これにより、インナハウジング７が雌型コネクタ３のコネクタ嵌合室２４内に嵌入する。
この状態から、両ハウジング６、２１を更に深く嵌入させると、コネクタ嵌合室２４の奥側の傾斜面２６がインナハウジング７の先端部分に設けたガタツキ規制部１２の傾斜面１２ａに当接すると共に、インナハウジング７が防水パッキン８をその弾性力に抗しつつ圧縮し、雌型コネクタハウジング２１の周壁２５上に形成された係止突起（不図示）が、アウタハウジング６に形成されたロックアームの係止突起（不図示）に係合して、両コネクタハウジング１３，２１の嵌合が終了する（即ち、完全嵌合状態となる）。
【００１９】
図２は完全嵌合されたコネクタ１の構成を示すものであるが、嵌合状態では雄端子２２の雄タブ２２ａが雌端子１１の電気接触部１１ａ内に挿入され、雄端子２２、雌端子１１および電線９が通電可能に接続される。尚、電線９には防水用のゴム栓１５を被せてあるので、水、油、等の液体が電線９を伝わってコネクタ１内に浸入することがない。従って、前記防水パッキン８の防水作用と相まって嵌合されたコネクタ１の液密性が保持される。
また、前記のようにガタツキ規制部１２に傾斜面１２ａを形成し、コネクタ嵌合室２４の奥に傾斜面２６を形成することにより、振動時におけるコネクタ嵌合方向とコネクタ嵌合直交方向のガタツキが防止される。従って、コネクタ嵌合時における雄端子２２および雌端子１１の接触面の摩擦、接触不良、等が確実に防止され、コネクタ１の信頼性が向上する。
【００２０】
ところで、図３及び図４に示すように、ガタツキ規制部１２の傾斜面１２ａの構成は、所定傾斜角度の平面形状であってもよい。
更に、図５に示すように、傾斜面１２ａにスリット１６を形成して分割構造にしてもよい。この構成によれば、分割されたそれぞれの傾斜面１２ａが前記傾斜面２６に接触するので、傾斜面２６との間に浮きが生じることがなく、ガタツキ防止効果が向上する。
【００２１】
図３に例示したアウタハウジング６には、外周面の両側に一対の突起１７と、一対のガイド用スリット１８が設けられている。
一方、雌型コネクタハウジング２１の外周面の両側には、一対のガイド突起１９が設けられていて、前記のようにコネクタ嵌合を行なう場合は、ガイド突起１９をガイド用スリット１８に嵌め込み、そのまま押し込むようにする。この構成によれば、ガイド突起１９とガイド用スリット１８との相互のガイド作用と、アウタハウジング６の内周面に形成したガイド溝６ａと、雌型コネクタハウジング２１に形成したガイド突起２１ａとのガイド作用により、前記コネクタ嵌合を円滑に且つ正確に行なうことができる。
【００２２】
ここで、前記ガイド用スリット１８と前記一対のガイド突起１９との関係を更に検討すると、雌型・雄型コネクタ３，２を嵌合した後にガイド突起１９を嵌合方向に、換言すれば突起１７に向けて付勢し続けることができれば、雌型コネクタ３とガイド突起１９とが一体なのであるから、嵌合方向のガタツキ防止を更に確実に行ない得る。
以下に、嵌合方向のガタツキ防止をより一層確実に行ない得るように構成したコネクタについて説明する。尚、雌型・雄型コネクタ３、２としては、図３に示したような一対の突起１７、一対のガイド用スリット１８、一対のガイド突起１９を備えたものとし、これらの部材については符号を援用する。
【００２３】
図６に示す押え付け部材３１は、前記雌型・雄型コネクタ３、２と協働してコネクタ押え付け機構を構成するものである。押え付け部材３１は、弾性材料を断面コ字状に形成したものであり、対向する２つの側板部３２と連結部３３とを備えている。側板部３２は対称構造であるので共通の符号を付して説明すると、一端が開口された開口部３２ａが設けられ、その内周面のうちの縦長部分がガタツキ防止のための押え付け部（第１押え付け部）３２ｂを構成し、傾斜面３２ｃがガタツキ防止のための第２押え付け部を構成する。傾斜面３２ｃの下部には係止突起３２ｄが設けられ、その下側のテーパ面３２ｅは嵌合したコネクタ３，２への装着を円滑化するためのものである。
【００２４】
次に、押え付け部材３１の嵌合したコネクタ３、２への取り付け方法（装着方法）とコネクタ押え付け機構によるガタツキ防止作用を説明する。
押え付け部材３１の装着に先立って、図７の右方に示した雄型コネクタ２と左方に示した雌型コネクタ３とを完全嵌合させる。嵌合に際しては、アウタハウジング６に形成したガイド用のスリット１８に、コネクタハウジング２１の側面に設けたガイド突起（第２突起）１９を嵌合し、矢印Ａで示した嵌合方向に押し込む。この結果、図７に示すように雌型コネクタ３と雄型コネクタ２とが正しく接続される。そして、ガイド突起１９と、ハウジング６の側面に形成した突起（第１突起）１７とが一定間隔で並ぶようになる。
【００２５】
次に、アウタハウジング６の上方から、アウタハウジング６を跨ぐようにして押え付け部材３１を被せ、押え付け部３２ｂに突起１７を沿わせるようにし、そのまま矢印Ｂで示す装着方向に押し込む。この状態で矢印Ｂ方向に押し続けると、テーパ面３２ｅがガイド突起１９に当接するが、更に押し込むことにより、図８に示すように係止突起３２ｄがガイド突起１９を乗り越えるために係止突起３２ｄが形成された側板部３２が撓み変形する。このため、押し込みのための抵抗感が増加するが、かまわず押し込み続けることにより、図９に示すように係止突起３２ｄがガイド突起１９を乗り越え、ガイド突起１９が傾斜面３２ｃに当接するようになる。
【００２６】
以上の如く、コネクタ２、３に押え付け部材３１を装着すると、突起１７が押え付け部３２ｂに当接し、ガイド突起１９が傾斜面３２ｃに当接する。押え付け部材３１は弾性を有しているので、ガイド突起１９は常に突起１７側に付勢され、ガイド突起１９と一体のコネクタハウジング２１、コネクタハウジング２１と一体の雌型コネクタ３全体が雄型コネクタ２側に付勢されて、両者の間のガタツキが完全に防止される。
即ち、前記構成のコネクタにあっては、押え付け部材３１の作用によって、雌型・雄型コネクタ３、２が相互に押し付けられるようになり、前記嵌合方向のガタツキを防止することができる。
【００２７】
次に、本発明の第２実施形態を説明する。尚、図１０は押え付け部材の構成を示す斜視図、図１１は押え付け部材の装着を示す断面図、そして図１２〜図１４はコネクタ押え付け機構の構成と押え付け作用を示す説明図である。
図１０に示す押え付け部材３５は、前記雌型・雄型コネクタ３、２との協働作用により、押え付け機構を構成するものである。押え付け部材３５は、弾性部材を断面コ字状に形成したものであり、対向する２つの側板部３６と、連結部３７とを備えている。一対の側板部３６は対称構造であるので、両者に共通の符号を付して説明すると、下端部が大径の開口部と縦長の開口部とを連通させて構成した開口状のガイド口３６ａと、一端が開口されたガイド溝３６ｂと、その一側面に形成された傾斜面３６ｃと、前記ガイド突起１９を挿入させるために、また傾斜面３６ｃを補強するために設けられた橋桁状の突起ガイド部３６ｄが設けられている。
【００２８】
次に、押え付け部材３５のコネクタ３，２への装着とガタツキ防止作用とを説明する。
本実施形態では、雄型コネクタ２と雌型コネクタ３とを嵌合する前に、雄型コネクタ２に押え付け部材３５を装着し、次に雌型コネクタ３を嵌合するようになっている。押え付け部材３５は、図１２に示すように雄型コネクタ２の上側から装着されるのであるが、押し込み中に下記のような作用が行なわれる。
即ち、雄型コネクタ２を構成するアウタハウジング６の両側面に、図１１に示すように一対の突起１７が設けられ、各突起１７の上面にはテーパ面１７ａが形成されている。従って、アウタハウジング６の上側から押え付け部材３５を押し込むと、図１１中に想像線で示すように両側板部３６の下端が突起１７の上端に当接する。この状態から、押え付け部材３５を更に押し込むと、両側板部３６の下端部が実線で示すようにテーパ面１７ａに沿って突起１７上に乗り上がる。従って、押し込みにともない抵抗感が増すが、そのまま更に押し込むことにより、突起１７が大径部からガイド口３６ａ内に入り込む。
また、図１２及び図１３に示すように、ガイド溝３６ｂとアウタハウジング６に形成されているガイド用スリット１８とが連通し、雌型コネクタ３に設けたガイド突起１９が突起ガイド部３６ｄの内側をくぐるようにして通過し得るようになる。
【００２９】
この段階で、前記同様に雌型コネクタ３と雄型コネクタ２とを嵌合させると、ガイド突起１９がガイド溝３６ｂの下端部に挿入される。次いで、押え付け部材３５を更に押し込むと、傾斜面３６ｃによってガイド突起１９が嵌合方向に、換言すれば突起１７側に押される。説明するまでも無く、ガイド突起１９は雌型コネクタ３と一体であるから、雌型コネクタ３全体がコネクタ嵌合方向に付勢されることになる。
故に、本実施形態にあっても、コネクタ嵌合方向のガタツキを防止することができ、端子の摩擦に伴う接触不良等を未然に防止することができる。
【００３０】
次に、本発明の第３実施形態を説明する。尚、図１５は押え付け部材の構成を示す斜視図、図１６は側面図、図１７は押え付け作用を示す斜視図、そして図１８は押え付け部材の他の形状を示す斜視図である。
【００３１】
本実施形態における押え付け部材４１は、図１５及び図１６に示すように、針金状の弾性材料を折り曲げ加工したものであり、一方の端部には波型の係止部４１ａ、４１ｂが設けられ、他方の端部には枠部４２が設けられている。
押え付け部材４１によって嵌合コネクタのガタツキを防止する場合、図１７に示すように一対のコネクタ間に係止される。
即ち、一方のコネクタ、例えば雌型コネクタ３を構成するアウタハウジング６の側面に、係止部４１ａ、４１ｂを差し込んで係止する係止溝４３ａ、４３ｂが設けられる。
【００３２】
雌型・雄型コネクタ３、２を嵌合する場合、雌型コネクタ３内に雄型コネクタ２を挿入し、そのまま押し込むとロックアーム４５がロック爪４６に係合し嵌合が完了する。本実施形態では、係止溝４３ａ、４３ｂに係止部４１ａ、４１ｂを圧入し、枠部４２で雄型コネクタ２の端部を押圧する。係止部４１ａ、４１ｂは波型に形成されているので、波型を押しつぶすように圧入することにより、抜け落ちが防止されるとともに、弾性によって雄型コネクタ２を引くようになる。このため、雌型コネクタ３、雄型コネクタ２は、嵌合方向のガタツキが防止され、前記各実施形態と同様に、端子の摩擦による接触不良等を未然に防止することができる。
【００３３】
尚、枠部４２の形状は、コネクタの形状に合わせて自在に変形できるものであり、図１８に示すように半円形に構成してもよく、係止するコネクタを下支えする構成であってもよい。
【００３４】
次に、本発明の第４実施形態を説明する。尚、図１９は押え付け部材の構成を示す斜視図、そして図２０はコネクタの押え付け作用を示す斜視図である。
本実施形態における押え付け部材４８は、図１９に示すように弾性を有する板状体をコ字状に折り曲げ加工して、両端部に押圧部４８ａ、４８ｂを設けたものである。押圧部４８ａ、４８ｂは、やや内側に折り曲げられ、次いで端部が外側に向かうように形成され、全体が弾性を有する形状になっている。また、押圧部４８ａ、４８ｂには、電線や端子を挿通させるための切り込み４９ａ、４９ｂが形成されている。
【００３５】
押え付け部材４８によってガタツキ防止を行なう場合は、図２０に示すように嵌合した雌型コネクタ３及び雄型コネクタ２の側面、即ち嵌合方向と直交する側面から、両端側面を押圧部４８ａ、４８ｂで挟み付けるようにして取り付ける。そして、切り込み４９ａ、４９ｂから電線や端子を引き出すようにする。
この構成によれば、嵌合されたコネクタは相互に押し付けられるようになり、嵌合方向のガタツキを防止することができる。従って、前記各実施形態同様に、端子の摩擦を防止することができ、接触不良等を未然に防止できる。
【００３６】
次に、本発明の第５実施形態を説明する。尚、図２１は押え付け部材の構成を示す斜視図、そして図２２は押え付け作用を示す斜視図である。
図２１に示すように、本実施形態における押え付け部材５１は、帯状体の両端部に電線や端子を挿通するスリット５２ａ、５２ｂを形成して両端部を２分割するとともに、一方の端部に球状体を数珠状に形成した止着具５３を設け、他方の端部に止着具５３を挿通させて係止する係止具５４を設けたものである。
【００３７】
前記押え付け部材５１によってガタツキ防止を行なう場合は、図２２に示すように嵌合したコネクタ２、３の全体を嵌合方向に沿うようにして押え付け部材５１で覆い、次いで止着具５３を係止部５４に挿通させて締め付ける。
この結果、嵌合されたコネクタ３、２が嵌合方向にガタツクことがなく、前記各実施形態と同様の効果が得られる。
【００３８】
次に、本発明の第５実施形態を説明する。尚、図２３は押え付け部材の構成を示す斜視図、そして図２４は押え付け作用を示す斜視図である。
図２３に示すように、本実施形態における押え付け部材５６は、帯状体の両端部に電線や端子を挿通するスリット５７ａ、５７ｂを形成して両端部を２分割するとともに、一方の帯状部の片面に鋸歯状部５８を設け、他方の帯状部の先端に係止爪５９を設けたものである。鋸歯状部５８と係止爪５９とはワンウェイクラッチのように係合する。
【００３９】
前記押え付け部材５６によってガタツキ防止を行なう場合は、図２４に示すように嵌合したコネクタ２、３の全体を嵌合方向に沿うようにして押え付け部材５６で覆い、次いで鋸歯状部５８を係止爪５９に係止して締め付ける。
この結果、嵌合されたコネクタ３、２が嵌合方向にガタツクことがなく、前記各実施形態と同様の効果が得られる。
【００４０】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【図面の簡単な説明】
【００４１】
【図１】本発明の第１実施形態である雄型・雌型コネクタの構成を示す断面図である。
【図２】コネクタの嵌合状態を示す断面図である。
【図３】コネクタの内部構成例を示す分解斜視図である。
【図４】ガタツキ規制部の外観形状を示す斜視図である。
【図５】ガタツキ規制部の他の例を示す斜視図である。
【図６】押え付け部材の第１実施形態を示す斜視図である。
【図７】押え付け部材の装着を示す側面図である。
【図８】押え付け部材の弾性変形を示す側面図である。
【図９】押え付け部材による押圧作用を示す側面図である。
【図１０】押え付け部材の第２実施形態を示す斜視図である。
【図１１】押え付け部材の装着状況を示す断面図である。
【図１２】押え付け部材の装着状況を示す斜視図である。
【図１３】押え付け部材の装着状況を示す側面図である。
【図１４】押え付け部材による押圧作用を示す側面図である。
【図１５】押え付け部材の第３実施形態を示す斜視図である。
【図１６】押え付け部材の形状を示す側面図である。
【図１７】押え付け部材によるコネクタの押圧作用を示す斜視図である。
【図１８】押え付け部材の他の構成例を示す斜視図である。
【図１９】押え付け部材の第４実施形態を示す斜視図である。
【図２０】押え付け部材によるコネクタの押圧作用を示す斜視図である。
【図２１】押え付け部材の第５実施形態を示す斜視図である。
【図２２】押え付け部材によるコネクタの押圧作用を示す斜視図である。
【図２３】押え付け部材の第６実施形態を示す斜視図である。
【図２４】押え付け部材によるコネクタの押圧作用を示す斜視図である。
【図２５】従来のコネクタの一例を示す完全嵌合状態のコネクタの概略断面図である。
【図２６】図２５のコネクタの完全嵌合直前の状態を示す縦断面図である。
【符号の説明】
【００４２】
１    コネクタ
２    雄型コネクタ
３    雌型コネクタ
６    アウタハウジング
７    インナハウジング
８    防水パッキン
１１    雌端子
１２    ガタツキ規制部
１２ａ  傾斜面
１７    一対の突起
１９    一対のガイド突起
２１    雌型コネクタハウジング
２２    雄端子
２３    端子固定部
２４    コネクタ嵌合室
２６    傾斜面
３１，３５，４１，４８，５１    押え付け部材
３２，３６    側板部
３２ｃ，３６ｃ    傾斜面
【図１】
2006031967.tif 000003
【図２】
2006031967.tif 000004
【図３】
2006031967.tif 000005
【図４】
2006031967.tif 000006
【図５】
2006031967.tif 000007
【図６】
2006031967.tif 000008
【図７】
2006031967.tif 000009
【図８】
2006031967.tif 000010
【図９】
2006031967.tif 000011
【図１０】
2006031967.tif 000012
【図１１】
2006031967.tif 000013
【図１２】
2006031967.tif 000014
【図１３】
2006031967.tif 000015
【図１４】
2006031967.tif 000016
【図１５】
2006031967.tif 000017
【図１６】
2006031967.tif 000018
【図１７】
2006031967.tif 000019
【図１８】
2006031967.tif 000020
【図１９】
2006031967.tif 000021
【図２０】
2006031967.tif 000022
【図２１】
2006031967.tif 000023
【図２２】
2006031967.tif 000024
【図２３】
2006031967.tif 000025
【図２４】
2006031967.tif 000026
【図２５】
2006031967.tif 000027
【図２６】
2006031967.tif 000028